(57)【要約】      （修正有）【課題】確実な包装状態及び高い陳列効果を容易に得ることかできる陳列兼用段ボール箱用シートを提供する。【解決手段】１枚の段ボール紙からなり、上壁、下壁、前壁、後壁及び一対の側壁を有する箱型に組立可能であり、梱包状態から陳列状態に開封可能な開封用破断誘導部を備え、上壁を構成する上壁用パネルが、一方の側壁を構成する第一側壁用パネルとの境界部を始端とし、他方の側壁を構成する第二側壁２７用パネルとの境界部を終端とする直線状の折り曲げ容易部１１を有する。開封用破断誘導部が、第一側壁用パネルに形成され、折り曲げ容易部１１の始端から前壁２５を構成する前壁用パネルとの境界部に至る第一誘導部、第二側壁用２７パネルに形成され、折り曲げ容易部の終端から前壁２５用パネルとの境界部に至る第二誘導部１６、及び前壁用パネルに形成され、第一誘導部と第二誘導部１６との双方と連続する第三誘導部を有する。【選択図】図２
0003183777.tif 000002
【実用新案登録請求の範囲】
【請求項１】
連接された複数のパネルを備える１枚の段ボール紙からなり、
上壁、下壁、前壁、後壁及び一対の側壁を有する箱型に組立可能であり、
梱包状態から陳列状態に開封可能な開封用破断誘導部を備える陳列兼用段ボール箱用シートであって、
上記上壁を構成する上壁用パネルが、一方の側壁を構成する第一側壁用パネルとの境界部を始端とし、他方の側壁を構成する第二側壁用パネルとの境界部を終端とする直線状の折り曲げ容易部を有し、
上記開封用破断誘導部が、
上記第一側壁用パネルに形成され、上記折り曲げ容易部の始端から上記前壁を構成する前壁用パネルとの境界部に至る第一誘導部、
上記第二側壁用パネルに形成され、上記折り曲げ容易部の終端から上記前壁用パネルとの境界部に至る第二誘導部、及び
上記前壁用パネルに形成され、上記第一誘導部と第二誘導部との双方と連続する第三誘導部
を有することを特徴とする陳列兼用段ボール箱用シート。
【請求項２】
上記第三誘導部が、帯状に切除される開封用切除帯である請求項１に記載の陳列兼用段ボール箱用シート。
【請求項３】
上記後壁を構成する後壁用パネル、第一側壁用パネル及び第二側壁用パネルに形成され、帯状に切除される上壁切離用切除帯を備え、
上記上壁切離用切除帯が、上記開封用破断誘導部まで形成されている
請求項１又は請求項２に記載の陳列兼用段ボール箱用シート。
【請求項４】
１枚の段ボール紙からなり、
対向する前面板及び後面板並びにこの前面板と後面板とを連接された一対の側面板を有する四角筒状部と、
上記一対の側面板の上方に連接する一対の上側内フラップと、
上記一対の側面板の下方に連接する一対の下側内フラップと、
上記前面板及び後面板の上方に連接する一対の上側外フラップと、
上記前面板及び後面板の下方に連接する一対の下側外フラップと
を備え、
梱包状態から陳列状態に開封可能な開封用破断誘導部を有する陳列兼用段ボール箱用シートであって、
上記前面板に連接する上記上側外フラップが、一方の側縁から他方の側縁までに至る直線状の第一折り曲げ容易部を有し、
上記一対の上側内フラップが、上記第一折り曲げ容易部の対応位置に第二折り曲げ容易部を有し、
上記開封用破断誘導部が、
一方の上記側面板に形成され、上記第二折り曲げ容易部から連続して上記前面板との境界部まで至る第一誘導部、
他方の上記側面板に形成され、上記第二折り曲げ容易部から連続して上記前面板との境界部まで至る第二誘導部、及び
上記前面板に形成され、上記第一誘導部と第二誘導部との双方と連続する第三誘導部
を有することを特徴とする陳列兼用段ボール箱用シート。
【請求項５】
請求項１から請求項４のいずれか１項に記載の陳列兼用段ボール箱用シートを箱型に組立ててなる陳列兼用段ボール箱。
【考案の詳細な説明】
【技術分野】
【０００１】
本考案は、陳列兼用段ボール箱用シート及び陳列兼用段ボール箱に関する。
【背景技術】
【０００２】
商品輸送用の段ボール箱は、商品の輸送から陳列までの間、複数の商品をまとめて収容する容器として用いられる。このような商品輸送用の段ボール箱は輸送後に開封され、梱包されていた商品が段ボール箱から取り出される。取り出された商品は陳列用の棚やケースに陳列され、販売に供される。この段ボール箱からの商品の取り出し及び棚やケースへの陳列からなる商品陳列作業を簡便にするために、商品を梱包した段ボール箱をそのまま陳列用のケースとして用いることができる陳列兼用段ボール箱（以下、単に段ボール箱ということがある）が発案されている（特開２００４−８３０９６号公報参照）。
【０００３】
この従来の段ボール箱は、対向する前面板及び後面板並びにこの前面板と後面板とを連接された一対の側面板を有する四角筒状部と、四角筒状部から上下に連接された複数のフラップとを有している。この段ボール箱は、梱包状態から陳列状態に開封可能な開封用破断誘導線を備え、この破断誘導線は、前面板及び一対の側面板に形成されている。具体的には、破断誘導線は、前面板において水平に形成され、各側面板において後方につれて上方に傾斜した直線上に形成され、側面板において終点が側面板上縁に位置している。
【０００４】
また、上記従来の段ボール箱にあっては、上記開封用破断誘導線の各側面板における終点を結ぶ仮想線に沿って、上記上壁を構成するフラップに切欠部が形成されている。そして、この切欠部を封鎖するよう包装用テープが貼付されることで包装状態が得られる。また、上記開封用破断誘導線に沿って破断することで上記包装状態から開封状態とした後に、上記包装用テープをヒンジ部として、上部陳列棚（開封用破断誘導線よりも上方側の部分（前面板の上方、側面板の前方かつ上方、及び上側のフラップの前方の部分））を上方及び後方側に回動することで、上部にも陳列棚が形成されるものである。
【０００５】
しかしながら、上記公報所載の段ボール箱にあっては、包装用テープをヒンジ部として利用するものであるので、包装用テープが側面板にまで貼付されると、上記上部陳列棚を回動させることができなくなる。このため、包装用テープは上壁を構成するフラップのみに貼付する必要があるが、包装用テープを側面板に貼付せず上壁を構成するフラップのみに貼付したのみでは、十分な包装状態が得られないおそれがある。
【０００６】
さらに、上記包装用テープは、上記切欠部によって分離されている上フラップにおいて、上フラップの表ライナーのみに貼付される。このため、ヒンジ（包装用テープ）において上記上部陳列棚を回動させた場合、上記包装用テープから上フラップの表ライナーに過度の力が作用し、この表ライナーの破損を招き、陳列効果を損ねるおそれがある。
【先行技術文献】
【特許文献】
【０００７】
【特許文献１】特開２００４−８３０９６号公報
【考案の概要】
【考案が解決しようとする課題】
【０００８】
本考案は、このような不都合に鑑みてなされたものであり、確実な包装状態を容易に得ることができるとともに、上部への商品陳列による高い陳列効果を容易かつ確実に得ることのできる陳列兼用段ボール箱用シート及び陳列兼用段ボール箱を提供することを課題とする。
【課題を解決するための手段】
【０００９】
上記課題を解決するためになされた本考案は、
連接された複数のパネルを備える１枚の段ボール紙からなり、
上壁、下壁、前壁、後壁及び一対の側壁を有する箱型に組立可能であり、
梱包状態から陳列状態に開封可能な開封用破断誘導部を備える陳列兼用段ボール箱用シートであって、
上記上壁を構成する上壁用パネルが、一方の側壁を構成する第一側壁用パネルとの境界部を始端とし、他方の側壁を構成する第二側壁用パネルとの境界部を終端とする直線状の折り曲げ容易部を有し、
上記開封用破断誘導部が、
上記第一側壁用パネルに形成され、上記折り曲げ容易部の始端から上記前壁を構成する前壁用パネルとの境界部に至る第一誘導部、
上記第二側壁用パネルに形成され、上記折り曲げ容易部の終端から上記前壁用パネルとの境界部に至る第二誘導部、及び
上記前壁用パネルに形成され、上記第一誘導部と第二誘導部との双方と連続する第三誘導部
を有することを特徴とする。
【００１０】
当該陳列兼用段ボール箱用シートは箱型に組立てられることで内部に商品を梱包することができ、またこのように商品が梱包された状態から開封用破断誘導線に沿って破断することで開封することができる。そして、このように開封した後、開封用破断誘導線よりも上方側の部分である前壁の上方、一対の側壁の前方かつ上方、及び上壁の前方の部分（以下、「上部陳列棚」ということがある）を、上記折り曲げ容易部をヒンジ部として、上方及び後方側に回動することで、上方に陳列棚が形成され、この上部陳列棚に商品を載置することができる。このように当該陳列兼用段ボール箱用シートにあっては、一枚の段ボール紙からなり、この一枚の段ボール紙にヒンジ部としての折り曲げ容易部を設けているので、上記従来の段ボール箱のように包装用テープをヒンジ部として用いる必要がなく、このため包装用テープによる確実な包装状態を容易に得ることができる。また、当該陳列兼用段ボール箱用シートにあっては、上記従来の段ボール箱のように表ライナーのみに貼付される包装用テープをヒンジ部として用いるものではないので、包装用テープからの過度の力によって段ボール紙の破損を招くおそれが少なく、段ボール紙に設けた折り曲げ容易部を介して上記上部陳列棚を容易かつ確実に回動させることができ、高い陳列効果を容易かつ確実に得ることができる。
【００１１】
上記第三誘導部が、帯状に切除される開封用切除帯であるとよい。これにより、開封する際に、上記第三誘導部である開封用切除帯を切除することで、開封作業を容易かつ確実に行い得る。
【００１２】
また、上記後壁を構成する後壁用パネル、第一側壁用パネル及び第二側壁用パネルに形成され、帯状に切除される上壁切離用切除帯を備え、上記上壁切離用切除帯が、上記開封用破断誘導部まで形成されているとよい。これにより、上述のように上部陳列棚による商品陳列を行った後、例えば商品の個数が少なくなった場合等において、上記上壁切離用切除帯を切除すると、この上壁切離用切除帯は開封用破断誘導部まで形成されているので、上壁が切離されたトレー状態に当該陳列兼用段ボール箱をすることができる。このため、当該陳列兼用段ボール箱による陳列効果を、商品の個数などに応じて変更することができる。
【００１３】
さらに、上記課題を解決するためになされた別の本考案は、
１枚の段ボール紙からなり、
対向する前面板及び後面板並びにこの前面板と後面板とを連接された一対の側面板を有する四角筒状部と、
上記一対の側面板の上方に連接する一対の上側内フラップと、
上記一対の側面板の下方に連接する一対の下側内フラップと、
上記前面板及び後面板の上方に連接する一対の上側外フラップと、
上記前面板及び後面板の下方に連接する一対の下側外フラップと
を備え、
梱包状態から陳列状態に開封可能な開封用破断誘導部を有する陳列兼用段ボール箱用シートであって、
上記前面板に連接する上記上側外フラップが、一方の側縁から他方の側縁までに至る直線状の第一折り曲げ容易部を有し、
上記一対の上側内フラップが、上記第一折り曲げ容易部の対応位置に第二折り曲げ容易部を有し、
上記開封用破断誘導部が、
一方の上記側面板に形成され、上記第二折り曲げ容易部から連続して上記前面板との境界部まで至る第一誘導部、
他方の上記側面板に形成され、上記第二折り曲げ容易部から連続して上記前面板との境界部まで至る第二誘導部、及び
上記前面板に形成され、上記第一誘導部と第二誘導部との双方と連続する第三誘導部
を有することを特徴とする。
【００１４】
当該陳列兼用段ボール箱用シートは箱型に組立てられることで内部に商品を梱包することができ、またこのように商品が梱包された状態から開封用破断誘導線に沿って破断することで開封することができる。そして、このように開封した後、開封用破断誘導線よりも上方側の部分である前面板の上方、一対の側面板の前方かつ上方、並びに上側外フラップ及び上側内フラップの前方の部分（以下、「上部陳列棚」ということがある）を、上記第一折り曲げ容易部及び第二折り曲げ容易部をヒンジ部として、上方及び後方側に回動することで、上方に陳列棚が形成され、この上部陳列棚に商品を載置することができる。このように当該陳列兼用段ボール箱用シートにあっては、上側外フラップ及び上側内フラップにヒンジ部としての第一折り曲げ容易部及び第二折り曲げ容易部を設けているので、上記従来の段ボール箱のように包装用テープをヒンジ部として用いる必要がなく、このため包装用テープによる確実な包装状態を容易に得ることができる。また、当該陳列兼用段ボール箱用シートにあっては、上記従来の段ボール箱のように表ライナーのみに貼付される包装用テープをヒンジ部として用いるものではないので、包装用テープからの過度の力によって段ボール紙の破損を招くおそれが少なく、段ボール紙に設けた折り曲げ容易部を介して上記上部陳列棚を容易かつ確実に回動させることができ、高い陳列効果を容易かつ確実に得ることができる。
【００１５】
また、上記課題を解決するためになされた別の本考案は、上記構成からなる当該陳列兼用段ボール箱用シートが箱型に組み立てられて構成される陳列兼用段ボール箱である。当該陳列兼用段ボール箱は、包装用テープによる確実な包装状態を容易に得ることができるとともに、高い陳列効果を容易かつ確実に得ることかできる。
【考案の効果】
【００１６】
以上説明したように、本考案の陳列兼用段ボール箱用シート及び陳列兼用段ボール箱は、確実な包装状態を容易に得ることができるとともに、高い陳列効果を容易かつ確実に得ることかできる。
【図面の簡単な説明】
【００１７】
【図１】本考案の第一実施形態に係る陳列兼用段ボール箱用シートを示す模式的平面図である（陳列兼用段ボール箱の展開図である）。
【図２】図１の陳列兼用段ボール箱用シートを組立てた状態（陳列兼用段ボール箱）を示す模式的斜視図である。
【図３】図２の陳列兼用段ボール箱の開封状態を示す模式的斜視図である。
【図４】図３の開封状態の陳列兼用段ボール箱をトレー状に変更した状態を示す模式的斜視図である。
【図５】本考案の他の実施形態に係る陳列兼用段ボール箱用シートを組立てた状態（陳列兼用段ボール箱）を示す模式的斜視図である。
【図６】本考案のさらに他の実施形態に係る陳列兼用段ボール箱用シートを組立てた状態（陳列兼用段ボール箱）を示す模式的斜視図である。
【図７】本考案のさらに他の実施形態に係る陳列兼用段ボール箱用シートを組立てた状態（陳列兼用段ボール箱）を示す模式的斜視図である。
【図８】本考案のさらに他の実施形態に係る陳列兼用段ボール箱用シートを組立てた状態（陳列兼用段ボール箱）を示す模式的斜視図である。
【図９】本考案のさらに他の実施形態に係る陳列兼用段ボール箱用シートを組立てた状態（陳列兼用段ボール箱）を示す模式的斜視図である。
【考案を実施するための形態】
【００１８】
［第一実施形態］
以下、適宜図面を参照しつつ、本考案の実施形態を詳説するが、まず図１乃至図３を用いて本考案の第一実施形態について説明する。
【００１９】
図２の陳列兼用段ボール箱１（以下、単に「段ボール箱」ということがある）は、図１の１枚の陳列兼用段ボール箱用シート２（以下、「段ボール箱用シート」ということがある）が上壁２４、下壁、前壁２５、後壁及び一対の側壁２６、２７を有する箱型に組み立てられて構成される。
【００２０】
この段ボール箱用シート２は、連接された複数のパネルを備える１枚の段ボール紙からなり、四角筒状部３０と、この四角筒状部３０の上下から連接する複数のフラップとを有している。上記四角筒状部３０は、対向する前面板３及び後面板４並びにこの前面板３と後面板４とを連接された一対の側面板５、６を有している。上記前面板３は、前壁２５を構成する前壁用パネルとして機能し、上記後面板４は、後壁を構成する後壁用パネルとして機能する。また、一方の側面板５は、一方の側壁２６を構成する第一側壁用パネルとして機能し、他方の側面板６は、他方の側壁２７を構成する第二側壁用パネルとして機能する。上記四角筒状部３０は、さらに糊代板２９を有している。具体的には、四角筒状部３０は、糊代板２９、後面板４、一方の側面板５、前面板３及び他方の側面板６がこの順で直線状に連接されて構成されている。このため、糊代板２９を上記他方の側面板６に接合（接着）させることで、四角筒状部３０を筒状に固定することができる。なお、四角筒状部３０を構成する各板間、及びこの板とフラップとの間には折り曲げを容易にする折り曲げ容易線が形成されている。
【００２１】
また、当該段ボール箱用シート２は、上記複数のフラップとして、上記一対の側面板５、６の上方に連接する一対の上側内フラップ８と、上記一対の側面板５、６の下方に連接する一対の下側内フラップ１０と、上記前面板３及び後面板４の上方に連接する一対の上側外フラップ７と、上記前面板３及び後面板４の下方に連接する一対の下側外フラップ９とを有している。上記一対の上側内フラップ８及び一対の上側外フラップ７は、上壁２４を構成する上壁用パネルとして機能し、上記一対の下側内フラップ１０及び一対の下側外フラップ８は、下壁を構成する下壁用パネルとして機能する。
【００２２】
この段ボール箱用シート２は、封緘状態（箱型に組立てられた段ボール箱１の状態）で直方体形状に形成され、均一な厚さの一枚の段ボールシートを用いて形成される。当該段ボール箱１のサイズとしては特に限定されず、内容物である商品の大きさ等を考慮して適宜設定される。
【００２３】
前面板３及び後面板４は、同型及び同サイズの矩形形状を有している。また、一対の側面板５、６は同型及び同サイズの矩形形状を有している。また、前面板３、後面板４、及び一対の側面板５、６は一方向の長さ（高さ）が等しく、これらの面板によって直方体形状を有する四角筒状部３０が形成される。なお、前面板３及び後面板４の他方向の長さ（箱状態における幅方向の長さ）と、一対の側面板５、６の他方向の長さ（箱状態における奥行方向の長さ）とが、略同じに設けられており、このため当該段ボール箱１は平面視略正方形状に設けられる。
【００２４】
また、上記糊代板２９は、略矩形形状を有している。この糊代板２９の高さ（上記一方向の長さ）が上記前面板３等の高さと略等しく設けられている。また、糊代板２９の奥行方向の長さ（上記他方向の長さ）は、上記側面板５、６の長さよりも小さく、例えば０．１倍以上０．３倍以下に設けられる。
【００２５】
当該段ボール箱用シート２は、四角筒状部３０を形成した後、一対の下側内フラップ１０を四角筒状部３０の内側に向かって略直角に折り込み、一対の下側外フラップ９を下側内フラップ１０に重なるようにそれぞれ四角筒状部３０の内側に向かって略直角に折り込むことで、下壁を形成することができる。また同様に、一対の上側内フラップ８を四角筒状部３０の内側に向かって略直角に折り込み、一対の上側外フラップ７を上側内フラップ８に重なるようにそれぞれ四角筒状部３０の内側に向かって略直角に折り込むことで、上壁２４を形成することができる。
【００２６】
上記一対の下側外フラップ９は、内側に折り曲げた際に対向する他方の下側外フラップ９の端縁と略隙間を生じないよう突き合わされる。つまり、一対の下側外フラップ９の高さ（折り曲げられた際の奥行方向の長さ）の合計が、上記側面板５、６の奥行方向の長さと略同一に設けられている。具体的には、上記一対の下側外フラップ９の高さは、それぞれ上記側面板５、６の奥行方向の長さ略半分に設けられている。
【００２７】
上記一対の上側外フラップ７も、上記下側外フラップ９と同様に、内側に折り曲げた際に対向する他方の上側外フラップ７の端縁と略隙間を生じないよう突き合わされる。つまり、一対の上側外フラップ７の高さ（折り曲げられた際の奥行方向の長さ）の合計が、上記側面板５、６の奥行方向の長さと略同一に設けられている。具体的には、上記一対の上側外フラップ７の高さは、それぞれ上記側面板５、６の奥行方向の長さ略半分に設けられている。
【００２８】
また、上記一対の下側内フラップ１０は、内側に折り曲げた際に対向する他方の下側内フラップ１０の端縁と略隙間を生じないよう突き合わされる。つまり、一対の下側内フラップ１０の高さ（折り曲げられた際の幅方向の長さ）の合計が、上記前面板３の幅方向の長さと略同一に設けられている。具体的には、上記一対の下側内フラップ１０の高さは、それぞれ上記前面板３の幅方向の長さ略半分に設けられている。
【００２９】
上記一対の上側内フラップ８も、上記下側内フラップ１０と同様に、内側に折り曲げた際に対向する他方の上側内フラップ８の端縁と略隙間を生じないよう突き合わされる。つまり、一対の上側内フラップ８の高さ（折り曲げられた際の幅方向の長さ）の合計が、上記前面板３の幅方向の長さと略同一に設けられている。具体的には、上記一対の上側内フラップ８の高さは、それぞれ上記前面板３の幅方向の長さ略半分に設けられている。
【００３０】
なお、本実施形態においては、上記下側外フラップ９、上側外フラップ７、下側内フラップ１０及び上側内フラップ８は、同型及び同サイズの矩形形状を有している。
【００３１】
当該段ボール箱用シート２を構成する段ボールシートとしては、強度の高さ及び加工成形の容易さの観点から、波形に形成された中芯、この中芯の表面側に積層される表ライナー及び裏面側に積層される裏ライナーを備える両面段ボールが用いられている。なお、四角筒状部３０の高さ方向と、この段ボールシートの波目方向（中芯の稜線に沿う方向）とは平行に配設される。
【００３２】
当該段ボール箱用シート２は、上壁用パネルが、第一側壁用パネルとの境界部を始端とし、第二側壁用パネルとの境界部を終端とする直線状の折り曲げ容易部を有している。つまり、当該段ボール箱用シート２は、上記折り曲げ容易部として、前面板３に連接する上側外フラップ７に設けられる第一折り曲げ容易部１１と、一対の上側内フラップ８に設けられる第二折り曲げ容易部１２とを有している。上記第一折り曲げ容易部１１は、上記上側外フラップに７おいて一方の側縁から他方の側縁までに至る直線状に設けられ、上記第二折り曲げ容易部１２は、上記一対の上側内フラップ８において第一折り曲げ容易部１１の対応位置（内側に折り畳まれた際に平面視重なる位置）に設けられている。
【００３３】
上記折り曲げ容易部は、箱状態において、前壁２５と上壁２４との境界部と略平行に設けられている。つまり、上記第一折り曲げ容易部１１は、前面板３と上側外フラップとの境界部に対して略平行に設けられ、上記第二折り曲げ容易部１２は、側面板５、６と上側内フラップ８との境界部に対して略直角に設けられている。
【００３４】
上記折り曲げ容易部は、上壁２４の中央よりも前方寄りに設けられている。具体的には、第一折り曲げ容易部１１が、前面板３から連設する上側外フラップ７に形成されている。ここで、折り曲げ容易部は、上壁２４と前壁２５との境界からの距離が、上壁２４の前後方向の長さの１／３倍以上２／５倍以下であることが好ましい。上記距離がこの範囲内にあることで、後述する上部陳列棚を十分な大きさとすることができる。また、上記第一折り曲げ容易部１１と上記上側外フラップ７の端縁（自由端側の端縁）との間隔の下限としては、２ｃｍが好ましく、３ｃｍがより好ましい。上記間隔が上記下限未満であると、突き合わせた上側外フラップ７に包装用テープ２２を貼付し難くなるおそれがある。一方、上記間隔の上限としては、１０ｃｍが好ましく、７ｃｍがより好ましい。上記間隔が上記上限を超えると、上記上部陳列棚が小さくなり過ぎるおそれがある。
【００３５】
上記折り曲げ容易部は、この部位において折り曲げを容易とするものであれば特に限定されず、例えばミシン目加工や、ハーフカット加工等によって形成することができる。本実施形態においては、第一折り曲げ容易部１１は、中央部を残すよう両端から形成されたハーフカット加工（裏ライナーをカットした加工）により形成された折り曲げ容易線１３から構成されている。また、第二折り曲げ容易部１２は、ミシン目から形成された折り曲げ容易線から構成されている。
【００３６】
当該段ボール箱用シート２は、梱包状態から陳列状態に開封可能な開封用破断誘導部１８を有している。この開封用破断誘導部１８は、一方の側面板５（第一側壁用パネル）に形成される第一誘導部１５、他方の側面板６（第二側壁用パネル）に形成される第二誘導部１６、及び上記前面板３に形成される第三誘導部１７を有している。
【００３７】
上記第一誘導部１５は、上記一方の側面板５において、上記折り曲げ容易部１１の始端から前面板３との境界部に至っている。具体的には、第一誘導部１５は、上記第二折り曲げ容易部１２から連続して上記前面板３との境界部まで至っている。また、第二誘導部１６は、上記他方の側面板６において、上記折り曲げ容易部１１の終端から前面板３との境界部に至っている。具体的には、第二誘導部１６は、上記第二折り曲げ容易部１２から連続して上記前面板３との境界部まで至っている。
【００３８】
また、第一誘導部１５及び第二誘導部１６は、直線状に形成されている。具体的には、第一誘導部１５及び第二誘導部１６は、前面板３との境界部から後方につれて上方に傾斜した直線状に形成された破断誘導線からそれぞれ構成されている。さらに、第一誘導部１５及び第二誘導部１６は、箱状態において互いに対向し、かつ平行となるよう形成されている。
【００３９】
第一誘導部１５及び第二誘導部１６としての破断誘導線は、破断が容易となる加工が施されているものであれば特に限定されず、例えばミシン目加工及び／又はハーフカット加工等によって形成することができる。なお、本実施形態においては、第一誘導部１５及び第二誘導部１６は、ミシン目から構成されている。
【００４０】
上記第三誘導部１７は、上記前面板３において、第一誘導部１５と第二誘導部１６との双方と連続している。この第三誘導部１７は、前壁２５と上壁２４との境界部（折り曲げ容易部）と略平行に設けられている。上記第三誘導部１７は、帯状に切除される開封用切除帯１９から構成されている。この第三誘導部１７としての開封用切除帯１９としては、容易に帯状に切除できるものであれば、特に限定されるものではなく、本実施形態においては、前面板３の裏面に幅方向に沿って貼付されたカットテープ２３（粘着テープ）から構成されている。
【００４１】
また、上記第三誘導部１７には、破断開始部２１が形成されている。この破断開始部２１は、前面板３の略中央に形成されている。この破断開始部２１としては、略倒Ｈ字状に形成された切れ目から形成することができ、この切れ目に指を挿入することで前壁２５を左右方向に沿った破断を容易に開始することができる。なお、上記第一誘導部１５及び第二誘導部１６としての破断誘導線は、上下方向の位置として、第三誘導部１７としての開封用切除帯１９の略中央で連続している。
【００４２】
さらに、当該段ボール箱用シート２は、後面板４及び一対の側面板５、６に形成され、帯状に切除される上壁切離用切除帯２０を備えている。この上壁切離用切除帯２０は、開封用破断誘導部１８まで形成されており、具体的には、周方向に沿って上記第三誘導部１７としての開封用切除帯１９に連続するよう配設されている。ここで、この上壁切離用切除帯２０は、後面板４及び一対の側面板５、６の裏面に貼付されたカットテープから構成されている。この上壁切離用切除帯２０としてのカットテープ及び上記開封用切除帯１９としてのカットテープとしては、同一のカットテープ２３を用い、このカットテープ２３を四角筒状部３０に貼付した後に、このカットテープ２３を前面板３と側面板５、６との境界において切断することで、上記上壁用切離用切除帯２０と開封用切除帯１９とを構成することができる。
【００４３】
［利点］
上述の構成からなる当該段ボール箱用シート２は、四角筒状部３０に形成後に下壁を形成し、内部に商品を入れ、その後に上壁２４を形成する。そして、上壁２４及び下壁を構成する一対の下側外フラップ９及び一対の上側外フラップ７に包装用テープ２２を貼付することで、当該ダンボール箱１による商品の梱包状態を得ることができる。当該段ボール箱１は、折り曲げ容易部１１、１２と異なる位置において上側外フラップ７に包装用テープ２２を貼付することで、上述のように商品の梱包状態を得ることができる。特に、後述する上部陳列棚は折り曲げ容易部をヒンジ部として用いて回動できるので、上記包装用テープ２２を上記上側外フラップ７のみならず、側面板５、６にも貼付することができるので、確実な包装状態を容易に得ることができる。
【００４４】
また、商品を梱包した当該段ボール箱１は、販売店等に運搬され、その後、開封用破断誘導部１８に沿って破断することで開封される。この開封に際しては、まず破断開始部２１に指を挿入することで、第三誘導部１７としての開封用切除帯１９を容易に切除することができる。そして、このように開封用切除帯１９を切除した後、第一誘導部１５及び第二誘導部１６に沿った破断を行うことで、当該段ボール箱１を容易に開封することができる。
【００４５】
このように開封した後、開封用破断誘導部１８よりも上方側の部分である前面板３の上方、一対の側面板５、６の前方かつ上方、並びに上側外フラップ７及び上側内フラップ８の前方の部分である上部陳列棚を、折り曲げ容易部をヒンジ部として、上方及び後方側に回動することで、上方に陳列棚が形成され、この上部陳列棚に商品を載置することができる。ここで、当該段ボール箱１は、上部陳列棚を回動した際に、第二折り曲げ容易部１２に沿って上側内フラップ８が破断するとともに第一折り曲げ容易部１１に沿って上側外フラップ７の裏ライナーが破断され、この上側外フラップ７の表ライナーが残存し、この表ライナーがヒンジ部として機能する。このように折り曲げ容易部が回動時に表ライナーが残存し、他の部分が破断されるよう構成されているので、上部陳列棚を容易に回動することができる。さらに、表ライナーには、従来の段ボール箱のようにヒンジ部としての包装用テープが貼付されておらず、包装用テープからの過度の力による破損が生じ難く、的確に残存する表ライナーによって容易かつ確実に陳列効果を奏することができる。
【００４６】
また、上述のような陳列を行った後に、陳列している商品の個数が減少した場合には、上壁切離用切除帯２０を切除することで、図４に示すように上壁２４が切離されたトレー状態に当該陳列兼用段ボール箱をすることができる。このため、当該陳列兼用段ボール箱による陳列効果を、商品の個数などに応じて変更することができる。
【００４７】
［その他の実施形態］
なお、上記実施形態は上記構成から上述の利点を奏するものであったが、本考案は上記実施形態の構成に限定されるものではなく、本考案の意図する範囲内において適宜設計変更可能である。なお、以下に示す他の実施形態において、上記実施形態と同一の構成及び機能を有する部分については、図面において同一符号を用い、その説明を省略する場合がある。
【００４８】
つまり、上記実施形態にあっては、上側外フラップ７と前面板３との境界部と平行に折り曲げ容易部１１、１２を設けるものについて説明したが、本考案においては、例えば図５に示すように、一対の上側外フラップ７が一対の側面板５、６から延出し、上記折り曲げ容易部１１、１２が、上記側面板５、６と上側外フラップ７との境界部と垂直に設けられたものも採用可能である。
【００４９】
さらに、上記実施形態にあっては、四角筒状部３０が前面板３、後面板４及び一対の側面板５、６から構成されるものについて説明したが、例えば図６又は図７に示すように、前面板３、上壁２４を構成する上面板、後面板、及び下壁を構成する下面板から四角筒状部を構成するものであっても、本考案は適用可能である。この図６の段ボール箱にあっては、側壁２６、２７が、上面板及び下面板の両側から延出する二対の内フラップと、前面板３及び後面板の両側から延出する二対の外フラップ７とから構成されている。そして、図６の段ボール箱にあっては、折り曲げ容易部１１が、前面板３と上面板との境界部に略平行に設けられている。また、折り曲げ容易部１１は、二対の外フラップ７の端縁の突き合わせ部分よりも前方に配設され、包装用テープ２２が折り曲げ容易部１１に貼付されないよう設けられている。
【００５０】
また、上述した図７の段ボール箱にあっては、側壁２６、２７が、上面板及び下面板の両側から延出する二対の外フラップ７と、前面板３及び後面板の両側から延出する二対の内フラップとから構成されている。そして、図７の段ボール箱にあっては、折り曲げ容易部１１が、前面板３と上面板との境界部に略平行に設けられている。また、図７の段ボール箱は、開封用破断誘導部１８が、下面板から延出する外フラップ７よりも上側に形成されている。具体手には、第一誘導部１５及び第二誘導部１６が、上面板から延出する外フラップ７に形成されており、包装用テープ２２が開封用破断誘導部１８に貼付されないよう設けられている。
【００５１】
さらに、例えば図８及び図９に示すように、上壁２４を構成する上面板、及び下壁を構成する下面板、並びに一対の側面板５、６から四角筒状部を構成するものであっても、本考案は適用可能である。この図８の段ボール箱にあっては、前壁２５及び後壁が、上面板及び下面板の前後から延出する二対の外フラップ７と、一対の側面板５、６の前後から延出する二対の内フラップとから構成されている。そして、図８の段ボール箱にあっては、折り曲げ容易部１１が、上面板と外フラップ７との境界部に略平行に設けられている。また、開封用破断誘導部の第三誘導部１７が、前方側に位置する一対の外フラップ７の突き合わせ部分に沿って配設され、前方側に位置する一対の内フラップに形成された破断誘導線によって構成されている。なお、図８の段ボール箱は、内フラップの外面と外フラップの７の内面とが接着剤等によって固定される。
【００５２】
また、上述した図９の段ボール箱にあっては、前壁２５及び後壁が、上面板及び下面板の前後から延出する二対の内フラップと、一対の側面板５、６の前後から延出する二対の外フラップ７とから構成されている。そして、図９の段ボール箱にあっては、折り曲げ容易部１１が、前面板と内フラップとの境界部に略平行に設けられている。また、開封用破断誘導部の第三誘導部１７が、前方側に位置する一対の外フラップ７に形成された破断誘導線によって構成されている。なお、図９の段ボール箱も、図８の段ボール箱と同様に、内フラップの外面と外フラップ７の内面とが接着剤等によって固定される。
【００５３】
さらに、上記実施形態においては、第三誘導部１７が切除帯から構成するものについて説明したが、本考案はこれに限定されるものではなく、第三誘導部１７が破断誘導線から構成することも可能である。また、開封用破断誘導部全体、つまりは第三誘導部１７のみならず、第一誘導部１５及び第二誘導部１６も切除帯から構成することも可能である。
【産業上の利用可能性】
【００５４】
本考案の陳列兼用段ボール箱用シート及び陳列兼用段ボール箱は、種々の商品を包装する箱などに好適に用いられる。
【符号の説明】
【００５５】
１  陳列兼用段ボール箱
２  陳列兼用段ボール箱用シート
３  前面板
４  後面板
５  第一側面板
６  第二側面板
７  上側外フラップ
８  上側内フラップ
９  下側外フラップ
１０  下側内フラップ
１１  第一折り曲げ容易部
１２  第二折り曲げ容易部
１３  折り曲げ容易線
１５  第一誘導部
１６  第二誘導部
１７  第三誘導部
１８  開封用破断誘導部
１９  開封用切除帯
２０  上壁切離用切除帯
２１  破断開始部
２２  包装用テープ
２３  カットテープ
２４  上壁
２５  前壁
２６  第一側壁
２７  第二側壁
２８  後壁
２９  糊代板
３０  四角筒状部
【図１】
0003183777.tif 000003
【図２】
0003183777.tif 000004
【図３】
0003183777.tif 000005
【図４】
0003183777.tif 000006
【図５】
0003183777.tif 000007
【図６】
0003183777.tif 000008
【図７】
0003183777.tif 000009
【図８】
0003183777.tif 000010
【図９】
0003183777.tif 000011